(57)【特許請求の範囲】
【請求項１】
回転可能に配置するとともに洗濯物を収容する脱水槽と、脱水槽を収容する水槽と、選択可能な異なる速度で上記脱水槽を回転駆動するモーターと、洗濯水や衣類の加熱手段とするヒーターと、洗濯物を洗いかつ空気を循環させる手段とする攪拌翼と、洗濯物をのせる棚と、洗濯時に洗濯物が飛び出さないようにする内蓋と、排水ホースとを備えた縦型全自動乾燥洗濯機において、
脱水槽の一部に、洗濯物を乾燥するときに用いる棚を上部におくことができる突起部あるいは凹部を設け、
上記脱水槽から上記水槽に水蒸気を含む空気を排気し、その水槽内で上記水蒸気を凝縮させて結露水として、この結露水を上記排水ホースから排水すると共に、上記水槽内の空気を上記排水ホースから排気することを特徴とする縦型全自動乾燥洗濯機。
【請求項２】
上記棚を綱目状としたことを特徴とする請求項１記載の縦型全自動乾燥洗濯機。
【請求項３】
上記洗濯物の乾燥時に乾燥風温度・湿度を、少なくとも風下側ヒーター近傍と内蓋の２点で検知することを特徴とする請求項１記載の縦型全自動乾燥洗濯機。
【発明の詳細な説明】
【０００１】
【発明の属する技術分野】
本発明は回転可能に配置するとともに洗濯物を収容する脱水槽と、脱水槽を収容する水槽と、選択可能な異なる速度で上記脱水槽を回転駆動するモーターと、洗濯水や衣類の加熱手段とするヒーターと、洗濯物を洗いかつ空気を循環させる手段とする攪拌翼と、洗濯物をのせる棚と、洗濯時に洗濯物が飛び出さないようにする内蓋とからなる縦型全自動乾燥洗濯機に関するものである。
【０００２】
【従来の技術】
従来のこの種の全自動乾燥洗濯機、例えば、縦型の全自動乾燥洗濯機は、実開平３−３４４７６号公報、特開平５−７６６８３号公報、特開平９−１９２３８３号公報等に開示のものが提案されている。
【０００３】
【発明が解決しようとする課題】
しかしながら、上記公報に開示されている全自動乾燥洗濯機であれば、洗濯から乾燥まで連続して行うと、洗濯物のしわが多く、また、脱水槽に穴が設けられているために、加熱する空気容量が大きくなって乾燥時間が長くなり、しかも、高温高湿の空気を直接室内に排気するため、室内の住環境が悪くなる等の課題があった。
【０００４】
【課題を解決するための手段】
本発明の縦型全自動乾燥洗濯機は上記課題を解決したもので、請求項１記載の発明は、回転可能に配置するとともに洗濯物を収容する脱水槽と、脱水槽を収容する水槽と、選択可能な異なる速度で上記脱水槽を回転駆動するモーターと、洗濯水や衣類の加熱手段とするヒーターと、洗濯物を洗いかつ空気を循環させる手段とする攪拌翼と、洗濯物をのせる棚と、洗濯時に洗濯物が飛び出さないようにする内蓋と、排水ホースとを備えた縦型全自動乾燥洗濯機において、脱水槽の一部に、洗濯物を乾燥するときに用いる棚を上部におくことができる突起部あるいは凹部を設け、上記脱水槽から上記水槽に水蒸気を含む空気を排気し、その水槽内で上記水蒸気を凝縮させて結露水として、この結露水を上記排水ホースから排水すると共に、上記水槽内の空気を上記排水ホースから排気することを特徴とするものである。
【０００５】
また、請求項２記載の発明は、上記請求項１記載の発明において、上記棚を綱目状としたことを特徴とするものである。
【０００６】
そして、請求項３記載の発明は、上記請求項１記載の発明において、上記洗濯物の乾燥時に乾燥風温度・湿度を、少なくとも風下側ヒーター近傍と内蓋の２点で検知することを特徴とするものである。
【０００７】
【０００８】
【０００９】
【発明の実施の形態】
以下、本発明の縦型全自動乾燥洗濯機の実施の形態を図面とともに説明する。
【００１０】
図１は本発明の縦型全自動乾燥洗濯機の構成を示す要部概略構成図であり、図１において、１は縦型全自動乾燥洗濯機の外枠、２は洗濯、すすぎ、脱水、乾燥を制御するマイクロコンピュータ（制御部）、３は操作表示部、４は上面板開口部の開閉用蓋体である。また、外枠１の内部には、水槽５が配設されている。
【００１１】
この水槽５は、その下部と外枠１の上端部間に亙って装着された防振機構６によって外枠１に吊り下げられており、その上端部には、水槽カバー７が固定されている。その２つの水槽カバー７の間に、中間蓋（内蓋）１９が配設されていて、この蓋１９は洗擢・濯ぎ・脱水時には、洗濯物や水が脱水槽８から外に飛び出さないようにし、乾燥時には、蓋１９の一部に開けた穴から、室内空気を吸い込むような働きをする。
【００１２】
上記脱水槽８の下部にはモーター（電動機）１０、ギヤボックス１１により回転する攪拌翼９（パルセータ）が配設されており、洗濯・濯ぎ時には攪拌翼９単体で５５〜３００ｒ．ｐ．ｍの回転を行い、洗濯若しくは濯ぎを行う。また、脱水時には脱水槽８と一緒に０〜１０００ｒ．ｐ．ｍで回転し、脱水を行う。
【００１３】
さらに、乾燥時には攪拌翼９単体で３００ｒ．ｐ．ｍ前後の一方向回転を行い、図１中破線矢印のように、室内空気を蓋１９を通して吸引し、図２の様に真ん中と周囲に編み目をもち、その境目には、少し高さを持たせた遮蔽部分をもった棚２０の中側綱目を通過後、脱水槽８の壁に沿い上昇し、再び洗濯物Ｓを載せた棚２０の外側綱目を通過し、脱水槽８と液体バランサー１６の間から水槽５を通り、排水管１４、排水ホース１５から排気される。
【００１４】
また、攪拌翼９の下部の空気の流れは、図１中実線で示すように、攪拌翼９の透き間を通して供給される空気が脱水槽の下側に円環状に配置されたヒーター１７により、５０℃前後に加熱され糸屑フィルター１８の部分から再び脱水槽８内に供給され、脱水槽８内の空気流れ（破線矢印）と合流して４０℃前後の空気として洗濯物の乾燥を行うことができる。
【００１５】
そして、洗濯物Ｓから蒸発した水分を含む空気が、脱水槽８から水槽５内に排気され、上記水分は上記水槽５内で冷却されて凝縮されて、結露水となって排水ホース１５から排水される。１２、１３は洗濯、濯ぎ、脱水時の排水管と排水弁を示している。２１は棚２０を脱水槽８内に載せるために脱水槽８の一部に設けた突起である。２２ａ，２２ｂは洗濯物の乾燥時のヒーター出口温度と洗濯物を通過した後の水蒸気を含む空気温度をセンシングして乾燥終了を検知する温度センサである。
【００１６】
この場合、例えば、ヒーター出口温度が５０℃、洗濯物の後の空気温度が４５℃の場合を乾燥終了と見做して、それを乾燥終了と検知すると、操作表示部３の液晶表示素子あるいはブザーで報知する。
【００１７】
ここで、加熱空気が出てくる糸屑フィルター１８の上側に棚２０を設けたほうが、空気の流れから、洗濯物Ｓの乾燥ははかどる。ただし、本工程では洗濯から脱水終了後、洗濯物Ｓを洗濯機から取り出した後、棚２０をセットしたうえで洗濯物Ｓを棚２０に載せなければならない。
【００１８】
また、脱水槽８の下部に円環状に設置したヒーター１７と温度センサ２２ａは、洗濯時の洗濯水の加熱ヒーター、洗濯水の温度センサとして利用することもできる。
【００１９】
さらに、棚２０は図２に示すように、中央部は洗濯物を載せないで、空気だけを通し、中間部には綱目がなく少し山形にした仕切り壁を作り、その外側に洗濯物を載せる綱を設ける。このようにすることにより、室内空気は棚２０の中央部から入り、周辺部から出て行くようになり、乾燥風のショートサーキットが避けられ、しかも、洗濯物の乾燥も効果的に行える。
【００２０】
【発明の効果】
本発明の縦型全自動乾燥洗濯機は上記のような構成であるから、脱水後、洗濯物を棚に並べて乾燥させるので、洗濯物にしわが生じることがなく、また、水蒸気を含む空気を室内に放出することなく乾燥でき、しかも、乾燥終了を報知できるので、洗濯物の取り出し忘れを確実に防止することができ、そのうえ、容易に乾燥することができる等の効果を奏する。
【図面の簡単な説明】
【図１】本発明の縦型全自動乾燥洗濯機の実施の形態を示す要部概略構成図である。
【図２】図１の棚の要部構成図である。
【符号の説明】
１  外枠
２  マイクロコンピュータ
３  操作表示部
４  開閉用蓋体
５  水槽
６  防振機溝
７  水槽
８  脱水槽
９  攪拌翼
１０  モーター
１１  ギヤボックス
１２  排水管
１３  排水弁
１４  排水管
１５  排水ホース
１６  液体バランサ
１７  ヒーター
１８  糸屑フィルター
１９  中間蓋
２０  棚
２１  突起
２２ａ  温度センサ
２２ｂ  温度センサ
【図１】
0003569623.tif 000002
【図２】
0003569623.tif 000003